(57)【要約】【課題】壁梁を上階の床スラブと一体化でき、かつ、施工容易な壁梁接合構造を提供すること。【解決手段】壁梁接合構造は、プレキャストコンクリート造の壁梁１１と壁梁１１の上に設けられた床スラブ２０とを接合する。壁梁１１には、上下方向に延びる棒状部材３０が長さ方向に沿って所定間隔おきに打ち込まれており、棒状部材３０の上端側は、床スラブ２０に定着されている。本発明によれば、壁梁１１と床スラブ２０とを一体化できるので、壁梁１１の曲げ強度をより向上できる。また、壁梁１１から上方に突出した棒状部材３０を床スラブ２０に打ち込むので、従来のように壁梁の上端筋やあばら筋の上部を床スラブに打ち込む構成ではないため、床スラブ２０を容易に配筋でき、施工が容易となる。【選択図】図５
2018145674.tif 000002
【特許請求の範囲】
【請求項１】
プレキャストコンクリート造の壁梁と当該壁梁の上に設けられた床スラブとを接合する壁梁接合構造であって、
当該壁梁には、上下方向に延びる棒状部材が長さ方向に沿って所定間隔おきに打ち込まれており、
当該棒状部材の上端側は、前記床スラブに定着されていることを特徴とする壁梁接合構造。
【請求項２】
前記棒状部材は、上端にフックが設けられた鉄筋であることを特徴とする請求項１に記載の壁梁接合構造。
【請求項３】
前記棒状部材は、上端にナットが螺合されたボルトであることを特徴とする請求項１に記載の壁梁接合構造。
【請求項４】
前記床スラブは、プレキャストコンクリート造の床板であり、
当該床板には、前記棒状部材が挿入される貫通孔が形成されることを特徴とする請求項１から３のいずれかに記載の壁梁接合構造。
【発明の詳細な説明】
【技術分野】
【０００１】
本発明は、プレキャストコンクリート造の壁梁とこの壁梁の上に設けられた床版とを接合する壁梁接合構造に関する。
【背景技術】
【０００２】
従来より、壁式構造の建物では、工期を短縮するために、プレキャストコンクリート造の壁板を予め製作し、この壁板を現場に運搬して互いに接合することが行われている。
このような壁式構造の建物では、壁板の上端部に壁梁が設けられ、この壁梁の上に上階の床スラブが配置される場合がある。この場合、壁梁と床スラブとは接しているが、一体化していない。
【０００３】
ところで、上述の壁梁について、曲げ強度をより向上することが要請されている。そこで、特許文献１の図９（ｂ）に示すように、壁梁の上端筋およびあばら筋の上部を床スラブ内に打ち込むことで、壁梁と床スラブとを一体化することが提案されている。
【先行技術文献】
【特許文献】
【０００４】
【特許文献１】特開平７−２１７０２０公報
【発明の概要】
【発明が解決しようとする課題】
【０００５】
しかしながら、壁梁の上端筋やあばら筋の丈夫を床スラブ内に打ち込む場合、床スラブの配筋に手間がかかる、という問題があった。
【０００６】
本発明は、壁梁を上階の床スラブと一体化でき、かつ、施工容易な壁梁接合構造を提供することを目的とする。
【課題を解決するための手段】
【０００７】
請求項１に記載の壁梁接合構造は、プレキャストコンクリート造の壁梁（例えば、後述の壁梁１１）と当該壁梁の上に設けられた床スラブ（例えば、後述の床スラブ２０、４０）とを接合する壁梁接合構造であって、当該壁梁には、上下方向に延びる棒状部材（例えば、後述の棒状部材３０、５０）が長さ方向に沿って所定間隔おきに打ち込まれており、当該棒状部材の上端側は、前記床スラブに定着されていることを特徴とする。
【０００８】
この発明によれば、上下方向に延びる棒状部材を壁梁に打ち込んで、この棒状部材の上端側を床スラブに定着させた。これにより、壁梁と床スラブとを一体化できるので、壁梁の曲げ強度をより向上できる。また、壁梁から上方に突出した棒状部材を床スラブに打ち込むので、従来のように壁梁の上端筋やあばら筋の上部を床スラブに打ち込む構成ではないため、床スラブを容易に配筋でき、施工が容易となる。
【０００９】
請求項２に記載の壁板接合構造は、前記棒状部材（例えば、後述の棒状部材３０）は、上端にフック（例えば、後述のフック３１）が設けられた鉄筋であることを特徴とする。
【００１０】
この発明によれば、棒状部材を上端にフックが設けられた鉄筋としたので、棒状部材を容易に製作でき、施工費を低減できる。
【００１１】
請求項３に記載の壁板接合構造は、前記棒状部材（例えば、後述の棒状部材５０）は、上端にナット（例えば、後述のナット５１）が螺合されたボルト（例えば、後述のボルト５２）であることを特徴とする。
【００１２】
この発明によれば、棒状部材を上端にナットが螺合されたボルトとしたので、棒状部材を容易に製作でき、施工費を低減できる。
【００１３】
請求項４に記載の壁板接合構造は、前記床スラブは、プレキャストコンクリート造の床板（例えば、後述の床板４１）であり、当該床板には、前記棒状部材が挿入される貫通孔（例えば、後述の貫通孔４３）が形成されることを特徴とする。
【００１４】
この発明によれば、床スラブをプレキャストコンクリート造の床板とし、この床板に棒状部材が挿入される貫通孔を形成した。よって、床板を壁梁の上に載置して、壁梁から突出した棒状部材を床板の貫通孔に挿入し、この状態で、貫通孔にモルタルやコンクリートを打設することで、壁梁が床スラブに一体化される。
【発明の効果】
【００１５】
本発明によれば、上下方向に延びる棒状部材を壁梁に打ち込んで、この棒状部材の上端側を床スラブに定着させた。これにより、壁梁と床スラブとを一体化できるので、壁梁の曲げ強度をより向上できる。また、壁梁から上方に突出した棒状部材を床スラブに打ち込むので、従来のように壁梁の上端筋やあばら筋の上部を床スラブに打ち込む構成ではないため、床スラブを容易に配筋でき、施工が容易となる。
【図面の簡単な説明】
【００１６】
【図１】本発明の第１実施形態に係る壁梁接合構造が適用された集合住宅の立面図である。
【図２】前記実施形態に係る集合住宅の一部の平面図である。
【図３】前記実施形態に係る集合住宅の外壁の立面図である。
【図４】前記実施形態に係る外壁を構成する壁板の壁梁と床スラブとの接合部（図３中破線Ａで示す部分）の縦断面図である。
【図５】図４のＢ−Ｂ断面図である。
【図６】本発明の第２実施形態に係る壁梁と床スラブとの接合部の縦断面図である。
【図７】図６のＣ−Ｃ断面図である。
【発明を実施するための形態】
【００１７】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る壁梁接合構造が適用された集合住宅１の立面図である。図２は、集合住宅１の一部の平面図である。
【００１８】
集合住宅１は、５階建ての壁式構造の建物であり、この集合住宅１の各階は、プレキャストコンクリート造の壁板１０と、鉄筋コンクリート造の床スラブ２０と、で構築される。
【００１９】
また、この集合住宅１の各階は、並んで配置された複数の居室２と、複数の居室２に沿って延びる廊下３と、廊下３の居室２を挟んで反対側に設けられて複数の居室２に沿って延びるベランダ４と、を備える。
各居室２同士は、間仕切壁５で仕切られている。居室２と廊下３との間、および、居室２とベランダ４との間は、外壁６で仕切られている。
【００２０】
図３は、外壁６の立面図である。
外壁６は、プレキャストコンクリート造の壁板１０からなり、この壁板１０の上端部には、壁梁１１が設けられている。
壁板１０の上には、鉄筋コンクリート造の床スラブ２０が設けられており、壁板１０の壁梁１１は、床スラブ２０に接合されている。
【００２１】
図４は、壁梁１１と床スラブ２０との接合部（図３中破線Ａで示す部分）の縦断面図である。図５は、図４のＢ−Ｂ断面図である。
壁梁１１は、下側梁主筋１２と、上側梁主筋１３と、腹筋１４と、これら下側梁主筋１２、上側梁主筋１３、および腹筋１４を囲んで長さ方向に所定間隔おきに配置されたあばら筋１５と、を備える。
下側梁主筋１２は、上下２段で設けられ、上側梁主筋１３は、１段で設けられている。また、腹筋１４は、下側梁主筋１２と上側梁主筋１３との中間の高さ位置に設けられている。
【００２２】
この壁梁１１には、上下方向に延びる棒状部材３０が、壁梁１１の長さ方向に沿って所定間隔おきに打ち込まれている。この棒状部材３０は、上下端にフック３１、３２が設けられた鉄筋であり、下側のフック３２は、下側梁主筋１２に係止しており、上側のフック３１は、床スラブ２０に定着されている。
また、壁梁１１の上端面には、コッター１６が所定間隔おきに設けられている。
【００２３】
床スラブ２０は、格子状に配置された下端筋２３と、この下端筋２３の上に格子状に配置された上端筋２４と、を備える。上端筋２４には、壁梁１１に沿って延びる鉄筋２５が配筋されており、棒状部材３０の上側のフック３１は、この鉄筋２５に係止される。
以上の床スラブ２０は、プレキャストコンクリート造の床板２１と、現場でコンクリートを打設した現場打ちスラブ２２と、で構成されている。
【００２４】
この壁板１０と床スラブ２０との接合部は、以下の手順で構築される。
まず、プレキャストコンクリート造の壁板１０を建て込む。次に、プレキャストコンクリート造の床板２１を建て込んで、この床板２１の端部を壁板１０の端部に係止させる。次に、木製の床型枠２６を建て込んで、この床型枠２６の上に下端筋２３、上端筋２４、鉄筋２５を配筋し、次に、床型枠２６の上にコンクリートを打設することで、現場打ちスラブ２２を構築し、棒状部材３０をこの現場打ちスラブ２２に定着させる。その後、床型枠２６を撤去する。
【００２５】
本実施形態によれば、以下のような効果がある。
（１）上下方向に延びる棒状部材３０を壁梁１１に打ち込んで、この棒状部材３０の上端側のフック３１を床スラブ２０に定着させた。これにより、壁梁１１と床スラブ２０とを一体化できるので、壁梁１１の曲げ強度をより向上できる。また、壁梁１１から上方に突出した棒状部材３０を床スラブ２０に打ち込むので、従来のように壁梁の上端筋やあばら筋の上部を床スラブに打ち込む構成ではないため、床スラブ２０の下端筋２３や上端筋２４を容易に配筋でき、施工が容易となる。
【００２６】
（２）棒状部材３０を上端にフック３１が設けられた鉄筋としたので、棒状部材３０を容易に製作でき、施工費を低減できる。
【００２７】
〔第２実施形態〕
図６は、壁梁１１と床スラブ４０との接合部の縦断面図である。図７は、図６のＣ−Ｃ断面図である。
本実施形態では、棒状部材５０の構造および床スラブ４０の構造が、第１実施形態と異なる。
【００２８】
すなわち、棒状部材５０は、上端にナット５１が螺合されたボルト５２である。
また、床スラブ４０は、プレキャストコンクリート造の床板４１と、現場でコンクリートを打設したハーフプレキャストコンクリート造の現場打ちスラブ４２と、で構成されている。この床板４１には、棒状部材５０が挿入される貫通孔４３が形成されている。
また、壁梁１１の上側梁主筋１３は、上下２段で設けられている。
【００２９】
この壁板１０と床スラブ４０との接合部は、以下の手順で構築される。
まず、プレキャストコンクリート造の壁板１０を建て込む。次に、プレキャストコンクリート造の床板４１を建て込んで、棒状部材５０を床板４１の貫通孔４３に挿入しながら、この床板４１を壁板１０の上に載置する。
次に、プレキャストコンクリート造の床型枠４４を建て込んで、この床型枠４４の上に下端筋２３、上端筋２４を配筋し、その後、床型枠４４の上にコンクリートを打設することで、現場打ちスラブ４２を構築する。また、床板４１の貫通孔４３にコンクリートを打設して、棒状部材５０を床板４１に定着させる。
【００３０】
本実施形態によれば、上述の（１）に加えて、以下のような効果がある。
（３）棒状部材５０を上端にナット５１が螺合されたボルト５２としたので、棒状部材５０を容易に製作でき、施工費を低減できる。
【００３１】
（４）プレキャストコンクリート造の床板４１を用意し、この床板４１に棒状部材５０が挿入される貫通孔４３を形成した。よって、床板４１を壁梁１１の上に載置して、壁梁１１から突出した棒状部材５０を床板４１の貫通孔４３に挿入し、この状態で、貫通孔４３にコンクリートを打設することで、壁梁１１が床スラブ４０に一体化される。
【００３２】
なお、本発明は前記実施形態に限定されるものではなく、本発明の目的を達成できる範囲での変形、改良等は本発明に含まれるものである。
例えば、上述の各実施形態では、壁梁１１の上端面にコッター１６を設けたが、これに限らず、コッターを設けなくてもよい。
【００３３】
また、上述の第１実施形態では、棒状部材３０をこの現場打ちスラブ２２に定着させたが、これに限らず、第２実施形態のように、貫通孔が形成されたプレキャストコンクリート造の床板を用意し、この床板の貫通孔に棒状部材３０を挿入してコンクリートを打設することで、棒状部材３０をプレキャストコンクリート造の床板に定着させてもよい。
【００３４】
また、上述の第２実施形態では、棒状部材５０をプレキャストコンクリート造の床板４１に定着させたが、これに限らず、第１実施形態のように、棒状部材５０を現場打ちスラブに定着させてもよい。
【符号の説明】
【００３５】
１…集合住宅  ２…居室  ３…廊下  ４…ベランダ  ５…間仕切壁  ６…外壁
１０…壁板  １１…壁梁  １２…下側梁主筋  １３…上側梁主筋  １４…腹筋
１５…あばら筋  １６…コッター
２０…床スラブ  ２１…床板  ２２…現場打ちスラブ  ２３…下端筋
２４…上端筋  ２５…鉄筋  ２６…床型枠
３０…棒状部材  ３１…上側のフック  ３２…下側のフック
４０…床スラブ  ４１…床板  ４２…現場打ちスラブ  ４３…貫通孔  ４４…床型枠
５０…棒状部材  ５１…ナット  ５２…ボルト
【図１】
2018145674.tif 000003
【図２】
2018145674.tif 000004
【図３】
2018145674.tif 000005
【図４】
2018145674.tif 000006
【図５】
2018145674.tif 000007
【図６】
2018145674.tif 000008
【図７】
2018145674.tif 000009